(57)【要約】【課題】  マイクロコンピュータのリセットによって写真フイルムが無駄になることのないカメラを提供する。【解決手段】  マイクロコンピュータ２１は、裏蓋開放信号（ＳＢ信号）がオンからオフに切り換わると、新しいフイルムパトローネの装填が行なわれたと判断してフイルム給送機構１５に予備巻き処理を実行させる。時定数発生回路５２は、マイクロコンピュータ２１のリセット時に、給送検出スイッチ３４からＨレベルのＳＰＦ信号が出力されている時に作動し、マイクロコンピュータ２１のリセット時間よりも長い時定数の長時定数フイルムセット信号（ＦＳ信号）をマイクロコンピュータ２１に入力する。マイクロコンピュータ２１は、ＦＳ信号をＳＢ信号だと判断するため、実際には裏蓋の開閉処理が実施されていないにも関わらず、予備巻き処理を実行させる。【選択図】        図２
2005091515.tif 000002
【特許請求の範囲】
【請求項１】
パトローネ室に装填されたフイルムパトローネから写真フイルムを引き出してフイルムロール室の巻取軸に巻き付け、最初に撮影が行なわれるコマを撮影位置にセットするフイルムセット処理を行なうフイルム給送機構と、フイルムセット信号が入力された際に、フイルム給送機構を制御してフイルムセット処理を実行させるマイクロコンピュータとを備えたカメラにおいて、
前記マイクロコンピュータのリセット時に、リセット時間よりも長い時定数の長時定数フイルムセット信号を発生する時定数発生回路を設けたことを特徴とするカメラ。
【請求項２】
前記長時定数フイルムセット信号の時定数は、マイクロコンピュータによるフイルムセット信号の判断に要する時間よりも長いことを特徴とする請求項１記載のカメラ。
【請求項３】
前記フイルムセット信号は、パトローネ室を開閉する蓋部材の開閉状態に応じて発信される蓋部材開放信号であって、前記長時定数フイルムセット信号は、蓋部材の開閉状態を擬似的にマイクロコンピュータに識別させる擬似蓋部材開放信号であることを特徴とする請求項１又は２記載のカメラ。
【請求項４】
前記フイルム給送機構による写真フイルムの１コマ分の給送を検知して１コマ送り完了信号を出力する１コマ送り完了信号出力手段を備えたカメラであって、前記時定数発生回路は、マイクロコンピュータのリセット時に１コマ送り完了信号出力手段から１コマ送り完了信号が出力されている場合には、長時定数フイルムセット信号を出力しないことを特徴とする請求項１乃至３いずれか記載のカメラ。
【請求項５】
前記１コマ送り完了信号出力手段は、フイルム給送機構によってフイルムロール室内の写真フイルムをパトローネ内に全て巻き戻すリワインド処理が行なわれた後に、１コマ送り完了信号が出力されない状態で保持されることを特徴とする請求項４記載のカメラ。
【請求項６】
前記マイクロコンピュータのリセット時に、時定数発生回路から長時定数フイルムセット信号が出力されていない場合には、１コマ分の写真フイルムを巻き上げるコマ送り処理をフイルム給送機構に実行させることを特徴とする請求項４又は５記載のカメラ。
【請求項７】
前記フイルム給送機構による写真フイルムの給送開始時及び給送停止時の電圧変動によって、時定数発生回路が動作するのを禁止する給送時動作禁止回路を設けたことを特徴とする請求項１乃至６いずれか記載のカメラ。
【発明の詳細な説明】
【技術分野】
【０００１】
本発明は、カメラに関し、更に詳しくは、フイルム給送機構の制御にマイクロコンピュータを用いたカメラの改良に関するものである。
【背景技術】
【０００２】
パトローネ室に装填されたフイルムパトローネから写真フイルムを引き出し、フイルムロール室に巻き上げて最初に撮影が行なわれるコマを撮影位置にセットするフイルムセット処理と、撮影操作に連動して１コマ分の写真フイルムを自動的に巻き上げるコマ送り処理と、全てのコマへの撮影が終了した後に写真フイルムをパトローネ内に巻き戻すリワインド処理とを行なうフイルム給送機構を備えたカメラが知られている。
【０００３】
また、フイルムパトローネから写真フイルムを全て引き出してフイルムロール室内に巻き上げ、最初に撮影が行われるコマを撮影位置にセットする予備巻き処理と、１コマの撮影毎にパトローネ内に写真フイルムを１コマずつ巻き戻していくコマ送り処理と、全てのコマへの撮影が終了した後に写真フイルムをパトローネ内に巻き戻すリワインド処理とを行なう、いわゆるプレワインド方式のフイルム給送機構を備えたカメラも知られている。
【０００４】
上記フイルム給送機構を備えたカメラの中には、パトローネ室を開閉する裏蓋の開閉状態の変化と、写真フイルムの給送検出とを用いてフイルムパトローネの装填を検出し、自動的にフイルムセット処理（予備巻き処理）を実行するカメラがある。
【０００５】
現在販売されているカメラの多くは、フイルム給送機構や露出機構等の制御にマイクロコンピュータを使用している。上述した、自動的にフイルムセット処理を行うカメラのマイクロコンピュータでは、裏蓋が開放状態から閉じ状態へと移行した際に、新しいフイルムパトローネが装填されたものと判断してフイルム給送機構にフイルムセット処理（予備巻き処置）を行なわせる。このフイルムセット処理中の一定時間内に、写真フイルムの給送が検出されないときには、フイルムパトローネが装填されずに裏蓋が開閉された、または給送の検出に失敗したと判断してフイルム給送機構のフイルムセット処理を停止させるようになっている。
【０００６】
マイクロコンピュータは、周知のように、演算処理を行なうＣＰＵや、プログラムや設定データを記憶するＲＯＭ，フイルム装填の有無や、撮影途中，撮影完了等の動作状態等が適宜記録されるＲＡＭ等からなる。カメラのマイクロコンピュータは、フイルム給送機構等と電源電池を供用している。バックアップ用の電池を有するカメラでは問題はないが、バックアップ用の電池を有しない安価なカメラでは、電池の交換時にマイクロコンピュータがリセットされてしまう。また、給送モータの駆動による電圧低下、電気的なノイズ等によってリセットされることもある。
【０００７】
マイクロコンピュータがリセットされるとＲＡＭ内の情報が失われるため、再起動後のカメラは現在の動作状態が不明となる。このように、動作状態が不明な状態で再起動した際に、何も動作を行なわないカメラや、予備巻き処理を行なうカメラ、リワインド処理を行なうカメラ、コマ送り処理を行なうカメラ等が従来発明されている（例えば、特許文献１参照）。
【０００８】
【特許文献１】特開平０５−３４１３６６号公報
【発明の開示】
【発明が解決しようとする課題】
【０００９】
しかしながら、再起動後に何もしないカメラでは、二重露光や、フイルム未装填との勘違いによる裏蓋の開放などが発生することがあった。また、再起動後に予備巻き処理を行なうカメラでは、先頭コマから再度撮影が行なわれるため、多数のコマにわたって二重露光が発生してしまう。
【００１０】
更に、プレワインド方式のカメラにおいて、フイルムパトローネの装填直後にマイクロコンピュータがリセットし、再起動後にリワインド処理やコマ送り処理が実行されると、未使用の写真フイルムが全てパトローネ内に巻き戻されて使用不能となる。特に、販売時のカメラは、消耗を防ぐために電池が装填されていないため、カメラにフイルムパトローネ，電池の順に装填を行なうと、同様の問題が発生する。
【００１１】
本発明は、上記問題点を解決するためのもので、マイクロコンピュータのリセットによって写真フイルムが無駄になることのないカメラを提供することを目的とする。
【課題を解決するための手段】
【００１２】
本発明のカメラは、上記問題点を解決するために、マイクロコンピュータのリセット時に、リセット時間よりも長い時定数の長時定数フイルムセット信号を発生する時定数発生回路を設けたものである。
【００１３】
また、長時定数フイルムセット信号の時定数は、マイクロコンピュータによるフイルムセット信号の判断に要する時間よりも長くなるようにしたものである。
【００１４】
更に、フイルムセット信号として、パトローネ室を開閉する蓋部材の開閉状態に応じて発信される蓋部材開放信号を使用し、長時定数フイルムセット信号は、蓋部材の開閉状態を擬似的にマイクロコンピュータに識別させるようにしたものである。
【００１５】
また、マイクロコンピュータのリセット時に、１コマ送り完了信号が出力されている場合には、時定数発生回路から長時定数フイルムセット信号を出力させないようにしたものである。
【００１６】
更に、１コマ送り完了信号出力手段は、フイルム給送機構によってフイルムロール室内の写真フイルムをパトローネ内に全て巻き戻すリワインド処理が行なわれた後に、１コマ送り完了信号が出力されない状態で保持されるようにしたものである。
【００１７】
また、マイクロコンピュータのリセット時に、時定数発生回路から長時定数フイルムセット信号が出力されていない場合には、１コマ分の写真フイルムを巻き上げるコマ送り処理をフイルム給送機構に実行させるようにしたものである。
【００１８】
更に、フイルム給送機構による写真フイルムの給送開始時及び給送停止時の電圧変動によって、時定数発生回路が動作するのを禁止する給送時動作禁止回路を設けたものである。
【発明の効果】
【００１９】
本発明のカメラによれば、マイクロコンピュータのリセット時に、リセット時間よりも長い時定数の長時定数フイルムセット信号を発生させるようにしたので、マイクロコンピュータのリセット時に、確実にフイルムセット処理を行なわせることができる。
【００２０】
また、マイクロコンピュータによるフイルムセット信号の判断に要する時間よりも、長時定数フイルムセット信号の時定数を長くしたので、マイクロコンピュータにフイルムセット信号であることを確実に判断させることができる。
【００２１】
更に、フイルムセット信号として、蓋部材の開閉状態に応じて発信される蓋部材開放信号を使用し、長時定数フイルムセット信号で、蓋部材の開閉状態を擬似的にマイクロコンピュータに識別させるようにしたので、蓋部材開放信号によってフイルムセット処理を開始するカメラの制御プログラムを変更する必要がない。これにより、時定数発生回路を簡単及びローコストに採用することができる。
【００２２】
また、マイクロコンピュータのリセット時に１コマ送り完了信号が出力されている場合には、写真フイルムが装填されている場合が多いため、長時定数フイルムセット信号を出力しないようにした。これにより、フイルムセット処理によって使用途中の写真フイルムがセットしなおされ、撮影済みの多数コマに二重露光がなされるのを防止することができる。
【００２３】
更に、１コマ送り完了信号出力手段は、リワインド処理が行なわれた後には１コマ送り完了信号が出力されない状態で保持されるようにしたので、フイルムパトローネの新規装填時には、フイルムセット処理を実施させることができる。特に、新しいフイルムパトローネがパトローネ室にセットされた状態でマイクロコンピュータがリセットされても、リワインド処理は実施されないので、未使用の写真フイルムがパトローネ内に巻き込まれて、使用不能となることはない。
【００２４】
また、マイクロコンピュータのリセット時に、時定数発生回路から長時定数フイルムセット信号が出力されていない場合には、コマ送り処理を給送機構に実行させるようにしたので、１コマ分の二重露光が発生することもない。
【００２５】
更に、給送時動作禁止回路によって、写真フイルムの給送開始時及び停止時に長時定数フイルムセット信号が発信されるのを防止することができるので、撮影中の動作不良を防止することができる。
【発明を実施するための最良の形態】
【００２６】
図１及び図２は、本発明を実施したカメラの外観形状と要部構成とを示す斜視図及びブロック図である。カメラ２の前面及び上面には、撮影レンズ３，ファインダ対物窓４，ストロボ発光部５，ストロボ操作部材６，レンズバリア操作部材７，シャッタボタン８，充電完了表示窓１０，撮影枚数表示窓１１等が設けられている。また、カメラ２の一方の側面には、ロック操作部材１２と、巻戻し操作部材１３とが設けられている。カメラ２の背面には、パトローネ室を開閉する裏蓋１４が設けられている。
【００２７】
このカメラ２は、プレワインド方式のカメラであり、裏蓋１４を開放してパトローネ室にフイルムパトローネを装填し、再び裏蓋１４を閉じると、内蔵するフイルム給送機構１５が自動的に作動して予備巻き処理が実行される。フイルムセット処理である予備巻き処理では、パトローネ内の写真フイルムをフイルムロール室に全て巻き取り、最初に露光されるコマを撮影位置にセットする。また、撮影時には、シャッタボタン８を操作すると写真フイルムに露光を行なうレリーズ処理が実行され、その後にフイルム給送機構１５が自動的に作動してコマ送り処理が実行される。このコマ送り処理は、撮影済みの１コマをパトローネ内に巻き戻し、新しいコマを撮影位置にセットする。写真フイルムの全てのコマへの撮影が終了すると、やはりフイルム給送機構１５が自動的に作動し、写真フイルムを全てパトローネ内に巻き戻すリワインド処理が実行される。
【００２８】
シャッタボタン８は押圧操作される構造であり、押下された際に内蔵するシャッタ機構１７が作動して写真フイルムに露光が行なわれる。シャッタ機構１７は、撮影後の写真フイルムの１コマ送りを駆動源に用いてシャッタチャージを行ない、このシャッタチャージによって蓄えられたバネの付勢力を利用してシャッタ羽根を開閉する簡易なものが用いられている。
【００２９】
シャッタボタン８の下方には、シャッタボタン８の操作によってオンし、シャッタ信号（Ｓ１信号）を発信するシャッタスイッチ１９が組み込まれている。また、シャッタ機構１７内には、シャッタチャージ時にオンして、シャッタチャージ信号（ＳＨＣ信号）を発信するシャッタチャージスイッチ２０が設けられている。これらのスイッチから出力された信号は、カメラ２の全体を制御する制御手段であるマイクロコンピュータ２１に入力される。
【００３０】
ストロボ操作部材６は、図示するオフ位置と、その上方のオン位置との間でスライド操作される。ストロボ操作部材６の背後には、そのスライドに操作によってオン／オフされるストロボスイッチ２３が組み込まれている。ストロボスイッチ２３がオンすると、内蔵するストロボ装置２４において充電動作が開始され、かつストロボ発光が許容される。また、オフ位置にすると充電動作が停止されてストロボ発光が禁止される。ストロボ装置２４には、シャッタ機構１７のシャッタレリーズ動作に連動してオンし、ストロボ発光部５を発光させるシンクロスイッチ２６が設けられている。
【００３１】
なお、マイクロコンピュータ２１は、電圧降下による不具合を防止するために、カメラの動作状態に応じてストロボ充電禁止信号（ＦＩＮＨ信号）をストロボ装置２４に入力する。ストロボ装置２４は、このＦＩＮＨ信号が入力されると、ストロボ操作部材６がオン位置にあっても充電動作を停止する。
【００３２】
カメラ２には、１３５タイプのフイルムパトローネが使用される。フイルムパトローネは、カメラ２の背面に設けられ、裏蓋１４により開閉されるパトローネ室に装填される。裏蓋１４は、カメラ２の背面に取り付けられており、パトローネ室を開放する開き位置と、密閉する閉じ位置との間で回動自在とされている。裏蓋１４は、カメラ２内に設けられたロック機構によって閉じ位置でロックされる。このロック機構は、上下方向でスライド自在とされたロック操作部材１２が、下方のロック位置から上方の解除位置にスライド操作された時に解除される。
【００３３】
カメラ２内のロック操作部材１２の近傍には、ロック操作部材１２の解除位置への操作によってオンして、裏蓋開放信号（ＳＢ信号）をマイクロコンピュータ２１に入力する裏蓋スイッチ２８が設けられている。マイクロコンピュータ２１は、ロック操作部材１２の操作によって裏蓋１４の開閉を検出する。なお、裏蓋スイッチ２８は、巻戻し操作部材１３の操作検出にも兼用される。巻戻し操作部材１３は、強制的にリワインド処理を実行させる際に使用され、押圧操作される構造を有している。巻戻し操作部材１３が押圧操作されると裏蓋スイッチ２８がオンし、ＳＢ信号がマイクロコンピュータ２１に入力される。
【００３４】
ＳＢ信号は、フイルムセット信号としても作用する。マイクロコンピュータ２１は、裏蓋スイッチ２８からＳＢ信号が入力された際に、その時のカメラ２の動作状態に基づいて、裏蓋１４が開閉されたのか、それとも巻戻し操作部材１３が操作されたのかを判断する。そして、その判断結果に応じて、フイルム給送機構１５に予備巻き処理又はリワインド処理，コマ送り処理のいずれかを実行させる。
【００３５】
フイルム給送機構１５は、パトローネ室内に設けられてフイルムパトローネのスプールに係合するフォークと、フイルムロール室内に設けられて外周に写真フイルムを巻き取る巻取軸と、給送モータ３０の回転をフォークまたは巻取軸に選択的に伝達するギア列等から構成されている。
【００３６】
給送モータ３０は、ドライバ回路３２によって駆動される。ドライバ回路３２には、マイクロコンピュータ２１から３種類のモータ駆動信号ＭＤ１〜ＭＤ３が入力されて制御される。ＭＤ１は、写真フイルムをパトローネ室からフイルムロール室へと給送（予備巻き処理）する方向に給送モータ３０を回転させる正転信号である。また、ＭＤ２は、写真フイルムをフイルムロール室からパトローネ室へと給送（リワインド処理及びコマ送り処理）する方向に給送モータ３０を回転させる逆転信号である。ＭＤ３は、回転中の給送モータ３０を停止させるブレーキ信号である。
【００３７】
フイルム給送機構１５には、写真フイルムの給送状態を検出して１コマ送り完了信号を出力する給送検出スイッチ３４が設けられている。図３及び図４（Ａ）に示すように、給送検出スイッチ３４は、一対の金属接片３５ａ，３５ｂと、これらの金属接片３５ａ，３５ｂの端部を保持する保持部材３６と、金属接片３５ａの自由端側に取り付けられるパッド３７とからなる。パッド３７には、給送検出部３７ａと、リワインド検出部３７ｂとが設けられている。この給送検出スイッチ３４は、金属接片３５ａ，３５ｂが離れているときにオフ状態となり、パッド３７が押圧されて金属接片３５ａが弾性変形し、金属接片３５ｂに接触することによってオン状態となる。１コマ送り完了信号（ＳＰＦ信号）は、給送検出スイッチ３４がオン／オフされることによって、ＨレベルとＬレベルとの間で切り換えられる。
【００３８】
給送検出スイッチ３４の近傍には、給送検出カム３９ａによってパッド３７の給送検出部３７ａを押圧する、カム部材３９が配置されている。カム部材３９の下部には、従動スプロケット４０と同軸で係合される軸部３９ｂが設けられている。従動スプロケット４０は、写真フイルムのパーフォレーションに噛合される歯を備えたスプロケットであり、写真フイルムの１コマ分の給送に従動して１回転する。従動スプロケット４０は、予備巻き処理時に図中時計方向に回動し、リワインド処理及びコマ送り処理時には反時計方向に回動する。
【００３９】
同図（Ａ）に示すように、予備巻き処理の完了後、及び撮影後のコマ送り処理の完了後のカム部材３９は、給送検出カム３９ａがパッド３７と反対側を向くように停止されるため、給送検出スイッチ３４はオフ状態となりＳＰＦ信号はＬレベルとなる。また、図４（Ｂ）に示すように、写真フイルムが１コマ分給送されると、カム部材３９が従動スプロケット４０と一緒に回転し、その１回転の間に給送検出カム３９ａでパッド３７の給送検出部３７ａを押圧して給送検出スイッチ３４をオン／オフさせる。図５のタイミングチャートに示すように、マイクロコンピュータ２１は、ＳＰＦ信号がＬ−Ｈ−Ｌと変化した時に、写真フイルムの１コマ給送の完了を識別する。
【００４０】
カム部材３９と従動スプロケット４０との間には、カム部材３９と一緒に回転して、外周に突設されたチャージカム４２ａでシャッタ機構１７のシャッタチャージを行なうチャージ部材４２が組み込まれる。チャージ部材４２の上面には、カム部材３９の外周に設けられた一対の弾性アーム３９ｃが収納される凹部４２ｂと、この凹部４２ｂの側面に設けられた被係合部４２ｃとを備えている。弾性アーム３９ｃは、カム部材３９の予備巻き方向への回転時には被係合部４２ｃと係合せず、リワインド方向への回転時には被係合部４２ｃと係合し、その回転をチャージ部材４２に伝達する。
【００４１】
カム部材３９の上部には、カウンタ円板４４の外周のほぼ全周に設けられた歯４４ａに噛合する一歯ギヤ３９ｄが設けられている。カウンタ円板４４は、上面に写真フイルムの撮影可能コマ数が円弧状に記載された表示板であり、カメラ２の上面に設けられた撮影枚数表示窓１１の下に組み込まれて、撮影可能コマ数を外部に表示する。カウンタ円板４４は、カム部材３９の１回転によって、外周の一歯分だけ回転される。これにより、撮影枚数表示窓１１から表示される撮影可能コマ数が変化する。
【００４２】
カウンタ円板４４の下面には、パッド３７のリワインド検出部３７ｂが収納されるリング部４４ｂが形成されている。このリング部４４ｂの内側には、リワインド処理によって写真フイルムがパトローネ内に全て巻き戻された際に、図４（Ｃ）に示すように、リワインド検出部３７ｂを押圧して給送検出スイッチ３４をオンさせる、リワインド検出カム４４ｃが設けられている。このリワインド検出カム４４ｃは、図５に示すように、ＳＰＦ信号をＨレベルで保持する。これにより、ＨレベルのＳＰＦ信号の時定数を確認することによって、１コマ給送中であるのか、それともリワインド処理の完了状態であるのかを区別することができる。
【００４３】
周知のように、マイクロコンピュータ２１は、演算処理を行なうＣＰＵ２１ａと、このＣＰＵ２１ａを動作させるプログラムが記憶されたＲＯＭ２１ｂと、カメラ２の動作状態を表す状態データが適宜記憶されるＲＡＭ２１ｃとからなる。本実施形態で用いられるマイクロコンピュータ２１は、例えば、４ビットＣＰＵと数百バイト〜数キロバイト程度のＲＯＭ及びＲＡＭを内蔵した安価なものであり、カメラ２のコストに悪影響を及ぼすことはない。
【００４４】
マイクロコンピュータ２１と、前述したストロボ装置２４及び給送モータ３０とには、共通の電源電池４７によって電力が供給される。この電池４７としては、例えば２本の単４形乾電池等が用いられている。また、電源関係の電気部品として、電池４７の電圧が瞬間的に低下した時にマイクロコンピュータ２１への電源供給を補助するバックアップコンデンサ４８と、バックアップコンデンサ４８の電力がストロボ装置２４等で消費されるのを防止するダイオード４９等も設けられている。
【００４５】
ＲＡＭ２１ｃに記憶される状態データは、「初期状態」，「予備巻き中」，「コマ送り中」の３種類からなる。「初期状態」は、フイルムパトローネが未装填、又はフイルムパトローネが装填済みでリワインド処理が完了している状態を表す。また、電池４７の交換や、電池の出力電圧の低下、電気的なノイズの影響などによってマイクロコンピュータ２１がリセットされた時には、ＲＡＭ２１ｃ内の状態データは「初期状態」となる。
【００４６】
「予備巻き中」は、フイルムパトローネが装填済みで予備巻き処理の実行中であることを表す。また、「コマ送り中」は、フイルムパトローネが装填済みで撮影途中であることを表す。ＣＰＵ２１ａは、カメラ２の動作状態に応じてＲＡＭ２１ｃの状態データを適宜書き換え、かつ参照することで、現在のカメラ２の動作状態を確認し、次に実行すべき処理の決定に用いる。
【００４７】
また、カメラ２には、時定数発生回路５２が設けられている。この時定数発生回路５２は、例えば、購入後に始めて電池４７が装填された場合等、長期間使用されなかったカメラ２に電池４７が装填され、マイクロコンピュータ２１がリセットされた際に、このリセット時間よりも時定数の長い長時定数フイルムセット信号（擬似裏蓋開放信号）であるＦＳ信号を発生してマイクロコンピュータ２１に入力する。そして、マイクロコンピュータ２１に、裏蓋１４が開閉されたものと判断させることによって、フイルム給送機構１５に予備巻き処理を実行させる。
【００４８】
図６に示すように、時定数発生回路５２は、電池４７に接続された抵抗Ｒ１，Ｒ２，Ｒ３と、抵抗Ｒ３に直列に接続されたコンデンサＣ１と、トランジスタＱ１と、給送時動作禁止回路５３とからなる。トランジスタＱ１のエミッタは、マイクロコンピュータ２１のＳＰＦ信号入力端子に接続されており、コレクタはＳＢ信号入力端子に接続されている。また、トランジスタＱ１のベースには、抵抗Ｒ１，Ｒ２，Ｒ３と、コンデンサＣ１と、給送時動作禁止回路５３とが接続されている。給送時動作禁止回路５３は、２個のダイオードＤ１，Ｄ２からなり、一方のダイオードＤ１には、給送モータ３０の回転時にドライバ回路３２から電流が供給される。
【００４９】
例えば、給送検出スイッチ３４がオンしてＨレベルのＳＰＦ信号が入力されている状態、すなわちリワインド処理が完了している状態で電池４７が装填されると、抵抗Ｒ１，Ｒ２を通してトランジスタＱ１のベースに電流が供給されるため、トランジスタＱ１がオンする。これにより、マイクロコンピュータ２１のＳＢ信号入力端子には、トランジスタＱ１からＦＳ信号が入力される。コンデンサＣ１には、抵抗Ｒ１，Ｒ２，Ｒ３を通じて電荷が充電される。コンデンサＣ１の充電が完了すると、トランジスタＱ１のベース電位が上がるため、トランジスタＱ１はオフしてＦＳ信号は出力されなくなる。また、ＳＰＦ信号がＬレベルの時には、トランジスタＱ１がオンしないため、ＦＳ信号は出力されない。
【００５０】
マイクロコンピュータ２１は、状態データが「初期状態」であって、かつＳＢ信号がオンからオフに切り換えられた時に、裏蓋１４が開放されてから閉じられたものと判断する。そのため、マイクロコンピュータ２１は、実際には裏蓋１４が開閉されていないにも関わらず、ＦＳ信号によって裏蓋１４の開閉処理が行なわれたものと判断する。これにより、裏蓋１４の開閉を行なわなくても予備巻き処理を実行させることができるようになる。なお、ＦＳ信号の時定数としては、マイクロコンピュータ２１がＳＢ信号によって裏蓋１４の開放状態を検出するのに要する時間（例えば１秒）よりも長く、かつユーザーに誤動作だと感じさせない程度の時間、例えば２〜３秒が好ましく、この出力時間が得られるようにコンデンサＣ１の静電容量が設定される。
【００５１】
電池４７の出力電圧は、給送モータ３０の回転開始時や停止時等、大きな負荷が掛かった時に降下することがある。この電圧降下時に、コンデンサＣ１の電荷が放電されてしまう。この時にＳＰＦ信号がＨレベルになると、ＦＳ信号が出力されてしまい、予備巻き処理が実行される可能性がある。
【００５２】
給送時動作禁止回路５３は、上記給送時にＦＳ信号が出力されるのを防止するために設けられている。給送時動作禁止回路５３の一方のダイオードＤ１には、給送モータ３０の回転時にドライバ回路３２から電流が供給され、コンデンサＣ１の充電が行われるようになっている。これにより、給送モータ３０の回転時にコンデンサＣ１の電荷が放電されることはないため、マイクロコンピュータ２１のリセット時のＦＳ信号の出力を禁止することができる。なお、各信号の内容と状態データの内容とは、以下の表１及び表２のとおりである。
【００５３】
【表１】
2005091515.tif 000003
【００５４】
【表２】
2005091515.tif 000004
【００５５】
次に、未使用のカメラ２に、始めて電池４７とフイルムパトローネとを装填した場合の作用について説明する。図７は、カメラ２の電池交換時、又はマイクロコンピュータ２１のリセット時に実施される初期処理の手順を示すフローチャートである。この初期処理では、各種Ｉ／Ｏポートのセットとともに、ＲＡＭ２１ｃの初期化が実施される。マイクロコンピュータ２１は、ＲＡＭ２１ｃの初期化時に、状態データとして「初期状態」をＲＡＭ２１ｃに記録する。
【００５６】
未使用のカメラ２や、使用済みのフイルムパトローネが適切に取り出された後に電池が消耗したカメラ２ではリワインド処理が完了している。そのため、図４（Ｃ）に示すように、給送検出スイッチ３４から出力されるＳＰＦ信号はＨレベルで保持されている。時定数発生回路５２は、初期処理時にＳＰＦ信号がＨレベルである時に作動する。
【００５７】
時定数発生回路５２は、電池４７の装填とともにトランジスタＱ１がオンし、マイクロコンピュータ２１のＳＢ端子にＦＳ信号が入力される。このＦＳ信号は、コンデンサＣ１の充電完了によってオフされる。マイクロコンピュータ２１は、ＦＳ信号を裏蓋１４が開放された際のＳＢ信号であると判断するため、シャッタボタン８が操作されていない場合には、マイクロコンピュータ２１は分岐処理に移行する。
【００５８】
図８に示す分岐処理のように、マイクロコンピュータ２１は、状態データが「初期状態」の時にＳＢ信号がオンからオフに切り換わると、裏蓋１４が開放されてから閉じられた、すなわち、新しいフイルムパトローネの装填が行なわれたという判断を行なう。そして、この判断時には、フイルム給送機構１５に予備巻き処理を実行させる。ＳＢ信号の代わりに、ＦＳ信号が入力された場合にもこの処理は実行されるため、実際に裏蓋１４を開閉しなくても予備巻き処理が実行される。
【００５９】
予備巻き処理は、パトローネ室のパトローネから写真フイルムを引き出してフイルムロール室の巻取軸に係止する先端係止処理と、フイルムロール室に写真フイルムを全て巻き上げるプレワインド処理と、最初に撮影が行なわれるコマを撮影位置にセットする初期コマセット処理とからなる。プレワインド処理と初期コマセット処理との実施後には、状態データが「予備巻き中」、「コマ送り中」にそれぞれ切り換えられる。
【００６０】
例えば、販売時のカメラ２は、消耗を防ぐために電池が装填されていない。カメラ２に添付する説明書には、最初に電池４７を装填した上で、フイルムパトローネの装填を行なうことが記載されている。しかし、ユーザーによっては最初にフイルムパトローネを装填し、次に電池４７を装填する場合がある。時定数発生回路５２を有しない従来のカメラにおいて、未使用のカメラにフイルムパトローネ，電池の順に装填を行なうと、ＦＳ信号が出力されないため、電池が装填された時点でリワインド処理が実行され、未使用の写真フイルムが全てパトローネ内に巻き込まれてしまった。
【００６１】
しかしながら、本発明のカメラでは、未使用のカメラ２にフイルムパトローネ，電池４７の順に装填を行なっても、予備巻き処理が実施されるため、未使用のフイルムパトローネが使用不能になることはない。
【００６２】
予備巻き処理が完了したカメラ２は、図９のフローチャートに示す「スタンバイ処理」によって、省電力なスタンバイモードにセットされる。なお、このスタンバイモード時に、給送検出スイッチ３４からＨレベルのＳＰＦ信号が出力されることはないため、ＦＳ信号によってスタンバイモードから分岐モードに移行することはない。
【００６３】
スタンバイモードにおいて、シャッタボタン８やロック操作部材１２，巻戻し操作部材１３が操作されると、スタンバイモードが解除されて「分岐処理」が実行され、レリーズ処理やコマ送り処理、リワインド処理などが実行される。なお、給送モータ３０の駆動時には、ドライバ回路３２から給送時動作禁止回路５３に電流が供給されてコンデンサＣ１が充電されるため、マイクロコンピュータ２１のリセット時に時定数発生回路５２からＦＳ信号が出力されることはない。
【００６４】
次に、カメラ２にフイルムパトローネを装填したまま長期間放置し、電池４７が消耗した場合の初期処理について説明する。フイルムパトローネの装填後にリワインド処理が実施されていないカメラ２では、図４（Ａ）に示すように、給送検出スイッチ３４から出力されるＳＰＦ信号はＬレベルとなる。そのため、初期処理においてＦＳ信号が出力されることはない。この場合には、電池４７の装填とともにコマ送り処理が実施される。これにより、撮影位置に残っていた撮影済みか否かが不明なコマに撮影が行なわれることはないため、二重露光の発生を防止することができる。
【００６５】
また、カメラ２の使用中に消耗した電池を交換する場合には、通常はコマ送り処理は完了しており、また、コンデンサＣ１はすぐには放電されないため、ＦＳ信号が出力されることはない。更に、電圧降下やノイズなどによってマイクロコンピュータ２１がリセットすると、状態データが「初期状態」にセットされるが、コンデンサＣ１が充電されているため、やはりＦＳ信号が出力されることはない。これらの場合にも、マイクロコンピュータ２１の再起動後にコマ送り処理が実施される。
【００６６】
なお、上記実施形態は、ロック操作部材の操作によって裏蓋の検出を行なうカメラを例に説明したが、本発明は裏蓋の開閉をセンサやスイッチで直接検出するカメラや、パトローネの装填をセンサやスイッチで検出するカメラにも適用することができる。
【００６７】
また、撮影途中でのマイクロコンピュータのリセット時に、コマ送り処理を行なうようにしたが、次のレリーズ処理の後にコマ送り処理を行なうようにすることもできる。
【産業上の利用可能性】
【００６８】
上記実施形態では、最初に写真フイルムを全て巻き上げるプレワインド方式のカメラを例に説明したが、本発明は撮影毎に写真フイルムを巻き上げるワインド方式のカメラにも適用することができる。また、ＡＰＳ方式のフイルムカートリッジを使用するカメラにも利用することができる。
【図面の簡単な説明】
【００６９】
【図１】本発明を実施したカメラの外観形状を示す斜視図である。
【図２】カメラの要部構成を示すブロック図である。
【図３】給送検出スイッチの構成を示す分解斜視図である。
【図４】給送検出スイッチの作用を示す説明図である。
【図５】ＳＰＦ信号を示すタイミングチャートである。
【図６】時定数発生回路の構成を示すブロック図である。
【図７】初期処理の手順を示すフローチャートである。
【図８】分岐処理の手順を示すフローチャートである。
【図９】スタンバイ処理の手順を示すフローチャートである。
【符号の説明】
【００７０】
２    カメラ
１４  裏蓋
１５  フイルム給送機構
２１  マイクロコンピュータ
２８  裏蓋スイッチ
３０  給送モータ
３４  給送検出スイッチ
３９  カム部材
４０  従動スプロケット
４４  カウンタ板
４７  電池
５２  時定数発生回路
５３  給送時動作禁止回路
【図１】
2005091515.tif 000005
【図２】
2005091515.tif 000006
【図３】
2005091515.tif 000007
【図４】
2005091515.tif 000008
【図５】
2005091515.tif 000009
【図６】
2005091515.tif 000010
【図７】
2005091515.tif 000011
【図８】
2005091515.tif 000012
【図９】
2005091515.tif 000013